(57)【要約】      （修正有）【課題】折り畳み姿勢にして壁面や他の家具等に立てかけた状態では床面に対して後脚体が滑り難くできるとともに、着座者が着座していない使用状態では床面に対して滑りやすくできる折り畳み椅子を提供する。【解決手段】折り畳み動作可能な折り畳み椅子Ｃであり、後脚体１２に設けられ折り畳み姿勢で立て掛けた場合にのみ床面Ｆに接して後脚体１２が床面Ｆに対して滑動するのを抑制する転倒防止部材と、後脚体１２に設けられ使用姿勢で着座者の荷重が作用していない場合に床面Ｆに接して後脚体１２が床面Ｆに対して滑動するのを助長する滑動促進部材とを具備する構成にした。【選択図】図７
2013169313.tif 000002
【特許請求の範囲】
【請求項１】
座を前脚体と後脚体とにより支持してなり、前記前脚体と後脚体とが略平行に折り畳まれる折り畳み姿勢と座を前後に拡開した前後の脚体とにより支持する使用姿勢との間で折り畳み動作可能な折り畳み椅子であって、
前記後脚体に設けられ前記折り畳み姿勢で立て掛けた場合に床面に接して前記後脚体が前記床面に対して滑動するのを抑制する転倒防止部材と、前記後脚体に設けられ前記使用姿勢で着座者の荷重が作用していない場合に前記床面に接して前記後脚体が床面に対して滑動するのを助長する滑動促進部材とを具備してなることを特徴とする折り畳み椅子。
【請求項２】
前記転倒防止部材が軟質樹脂製のものであり、前記滑動促進部材が硬質樹脂製のものである請求項１記載の折り畳み椅子。
【請求項３】
前記後脚体が、水平フレーム部と縦フレーム部とを備えたものであり、前記水平フレーム部に装着したキャップに前記転倒防止部材と前記滑動促進部材とが設けられている請求項１又は２記載の折り畳み椅子。
【請求項４】
前記キャップが、軟質樹脂製の転倒防止部材と硬質樹脂製の滑動促進部材とを一体に二重成形したものである請求項３記載の折り畳み椅子。
【請求項５】
前記後脚体の水平フレーム部が横断面略楕円形状をなすものであり、前記キャップがこの水平フレーム部の外周に外嵌されたものである請求項４記載の折り畳み椅子。
【請求項６】
座を前脚体と後脚体とにより支持してなり、前記前脚体と後脚体とが略平行に折り畳まれる折り畳み姿勢と座を前後に拡開した前後の脚体とにより支持する使用姿勢との間で折り畳み動作可能な折り畳み椅子であって、
前記後脚体に設けられ前記折り畳み姿勢で立て掛けた場合にのみ床面に接して前記後脚体が前記床面に対して滑動するのを抑制する転倒防止部材と、前記後脚体に設けられ前記使用姿勢で着座者の荷重が作用していない場合に前記床面に接して前記後脚体が床面に対して滑動するのを助長する滑動促進部材と、前記使用姿勢において着座による荷重が作用した場合に前記滑動促進部材とともに又は前記滑動促進部材に代わって床面に接し前記後脚体が前記床面に対して滑動するのを防止する滑動抑制部材とを具備してなることを特徴とする折り畳み椅子。
【発明の詳細な説明】
【技術分野】
【０００１】
本発明は、会議室や集会場等で好適に使用される折り畳み椅子に関する。
【背景技術】
【０００２】
従来、この種の折り畳み椅子として、座を前脚体と後脚体とにより支持してなり、前記前脚体と後脚体とが略平行に折り畳まれる折り畳み姿勢と座を前後に拡開した前後の脚体とにより支持する使用姿勢との間で折り畳み動作可能なものが知られている（例えば、特許文献１を参照）。
【０００３】
ところで、この種の椅子は、前脚体及び後脚体が金属製の水平フレーム部と縦フレーム部とにより構成されているのが一般的である。そして、折り畳み姿勢において壁や他の家具等に立て掛けた際には後脚の水平フレーム部が床面に接するものとなり、一方で、使用姿勢においては前脚体及び後脚体の各水平フレーム部が床面に接することになる。しかして従来のものは、前記水平フレーム部が金属パイプ等により作られているため床面に対して滑りやすい。そのため、着座者が着座していない使用状態においては、この椅子を床面に対して滑らせて並べ替えや位置合わせを容易に行うことができるが、折り畳み姿勢にして椅子を壁面等に立て掛けた状態においては後脚体が床面に対して滑り易くなってしまい、転倒を招くという不具合がある。
【０００４】
このような転倒を防止するためには、後脚体に床面に対する滑り止め対策を施せばよいが、このようにした場合には、前述した並べ替えや位置合わせの際に椅子を移動させにくいという不具合が生ずることとなり、ジレンマが生じていた。
【先行技術文献】
【特許文献】
【０００５】
【特許文献１】特開２００２−７８５５７号公報
【発明の概要】
【発明が解決しようとする課題】
【０００６】
本発明は、以上のような事情に着目してなされたもので、上述した不具合、すなわち、上述したジレンマを解消することが可能な折り畳み椅子を提供することにある。
【課題を解決するための手段】
【０００７】
すなわち、本発明の折り畳み椅子は次の構成をなしている。
【０００８】
請求項１に記載の折り畳み椅子は、座を前脚体と後脚体とにより支持してなり、前記前脚体と後脚体とが略平行に折り畳まれる折り畳み姿勢と座を前後に拡開した前後の脚体とにより支持する使用姿勢との間で折り畳み動作可能な折り畳み椅子であって、前記後脚体に設けられ前記折り畳み姿勢で立て掛けた場合に床面に接して前記後脚体が前記床面に対して滑動するのを抑制する転倒防止部材と、前記後脚体に設けられ前記使用姿勢で着座者の荷重が作用していない場合に前記床面に接して前記後脚体が床面に対して滑動するのを助長する滑動促進部材とを具備してなるものである。
【０００９】
請求項２に記載の折り畳み椅子は、請求項１に係る構成において、前記転倒防止部材が軟質樹脂製のものであり、前記滑動促進部材が硬質樹脂製のものである。
【００１０】
請求項３に記載の折り畳み椅子は、請求項１又は２に係る構成において、前記後脚体が、水平フレーム部と縦フレーム部とを備えたものであり、前記水平フレーム部に装着したキャップに前記転倒防止部材と前記滑動促進部材とが設けられているものである。
【００１１】
請求項４に記載の折り畳み椅子は、請求項３に係る構成において、前記キャップが、軟質樹脂製の転倒防止部材と硬質樹脂製の滑動促進部材とを一体に二重成形したものである。
【００１２】
請求項５に記載の折り畳み椅子は、請求項４に係る構成において、前記後脚体の水平フレーム部が横断面略楕円形状をなすものであり、前記キャップがこの水平フレーム部の外周に外嵌されたものである。
【００１３】
請求項６に記載の折り畳み椅子は、座を前脚体と後脚体とにより支持してなり、前記前脚体と後脚体とが略平行に折り畳まれる折り畳み姿勢と座を前後に拡開した前後の脚体とにより支持する使用姿勢との間で折り畳み動作可能な折り畳み椅子であって、前記後脚体に設けられ前記折り畳み姿勢で立て掛けた場合にのみ床面に接して前記後脚体が前記床面に対して滑動するのを抑制する転倒防止部材と、前記後脚体に設けられ前記使用姿勢で着座者の荷重が作用していない場合に前記床面に接して前記後脚体が床面に対して滑動するのを助長する滑動促進部材と、前記使用姿勢において着座による荷重が作用した場合に前記滑動促進部材とともに又は前記滑動促進部材に代わって床面に接し前記後脚体が前記床面に対して滑動するのを防止する滑動抑制部材とを具備してなるものである。
【発明の効果】
【００１４】
以上説明したように本発明によれば、折り畳み姿勢にして壁面や他の家具等に立てかけた状態では床面に対して後脚体が滑り難くできるとともに、着座者が着座していない使用状態では床面に対して滑りやすくできる折り畳み椅子を提供することができる。
【図面の簡単な説明】
【００１５】
【図１】本発明の一実施形態を示す斜視図。
【図２】同実施形態における部分拡大平面図。
【図３】同実施形態における部分拡大底面図。
【図４】図２におけるＡ−Ａ線概略断面図。
【図５】図２におけるＢ−Ｂ線概略断面図。
【図６】同実施形態における部分拡大斜視図。
【図７】同実施形態の椅子を壁面等に立てかけた状態を右側面から示す説明図。
【図８】図７に対応する部分拡大右側面図。
【図９】同実施形態の使用状態の椅子（着座者が着座していない状態）を右側面から示す説明図。
【図１０】図９に対応する部分拡大右側面図。
【図１１】同実施形態の使用状態の椅子（着座者が着座している状態）を右側面から示す説明図。
【図１２】図１１に対応する部分拡大右側面図。
【発明を実施するための形態】
【００１６】
以下、本発明の一実施形態を、図１〜１２を参照して説明する。
【００１７】
この実施形態は、本発明を、会議室や集会場等で好適に使用される折り畳み椅子Ｃに適用したものである。この折り畳み椅子Ｃは、折り畳み姿勢（Ｔ）でスタッキング可能な構成、すなわち、この折り畳み椅子Ｃは、同一形状の他の折り畳み椅子（図示せず）を、複数上下方向に重ね合わせ、スタッキングすることができるようになっている。このため、不使用時には倉庫等の保管場所に多数の折り畳み椅子Ｃを効率的に収納することができ、例えば、体育館やスタジアム等といった一時的な集会があるような場所においても好適に使用される。
【００１８】
この折り畳み椅子Ｃは、前脚体１１と、後脚体１２と、前脚体１１及び後脚体１２により支持される座１３と、前脚体１１の上部に設けられた背凭れ部１４とを備えている。折り畳み椅子Ｃは、座１３を前脚体１１と後脚体１２とにより支持してなり、前脚体１１と後脚体１２とが略平行に折り畳まれる折り畳み姿勢（Ｔ）と座１３を前後に拡開した前後の脚体１１、１２とにより支持する使用姿勢（Ｕ）との間で折り畳み動作可能なものである。しかして、本実施形態における折り畳み椅子Ｃは、後脚体１２に設けられ折り畳み姿勢（Ｔ）で立て掛けた場合に床面Ｆに接して後脚体１２が床面Ｆに対して滑動するのを抑制する転倒防止部材２１と、後脚体１２に設けられ使用姿勢（Ｕ）で着座者Ｐの荷重が作用していない場合に床面Ｆに接して後脚体１２が床面Ｆに対して滑動するのを助長する滑動促進部材２２と、使用姿勢（Ｕ）において着座による荷重が作用した場合に滑動促進部材２２とともに床面Ｆに接し後脚体１２が床面Ｆに対して滑動するのを防止する滑動抑制部材２３とを具備している。以下、詳述する。
【００１９】
折り畳み椅子Ｃは、いわゆる椅子としての基本的機能を発揮する主要部分を構成する椅子本体１と、この椅子本体１に取り付けられて床面Ｆと椅子本体１との間に介在する介在体たるキャップ２とを具備している。キャップ２は、椅子本体１に対して着脱可能に構成している。
【００２０】
椅子本体１は、着座面１３ａを有する座１３と、座１３を支持する前脚体１１及び後脚体１２と、前脚体１１の上に設けられた背凭れ部１４とを備えている。
【００２１】
前脚体１１は、略楕円形状をなすアルミパイプを枠状に折り曲げて構成したものであり、床面Ｆに対して略水平になるように設けられた水平フレーム部１１１と、この水平フレーム部１１１の両端から連続するとともに水平フレーム部１１１に対して略直交する方向に延びる左右の縦フレーム部１１２とを備えたものである。前脚体１１の水平フレーム部１１１及び縦フレーム部１１２はそれぞれ縦断面が略楕円形状をなしている。左右の縦フレーム部１１２には内側面に座支持軸（図示せず）が設けられており座１２の左右両側部を回転可能に支持している。
【００２２】
後脚体１２は、前脚体１１と同様に略楕円形状をなすアルミパイプを枠状に折り曲げて構成したものであり、床面Ｆに対して略水平になるように設けられた水平フレーム部１２１と、水平フレーム部１２１の両端から連続するとともに水平フレーム部１２１に対して略直交する方向に延びる縦フレーム部１２２とを備えたものである。後脚体１２の水平フレーム部１２１及び縦フレーム部１２２はそれぞれ縦断面が略楕円形状をなしている。後脚体１２の左右の縦フレーム部１２２の上端には座１３の左右両側部を回転可能に支持する支持部１２３が配されている。この支持部１２３は、折り畳み椅子Ｃが使用姿勢（Ｕ）と折り畳み姿勢（Ｔ）とをとり得るようにするため、縦フレーム部１２２に対して進退可能に設けられている。
【００２３】
背凭れ部１４は、前脚体１１の上部すなわち前脚体１１の縦フレーム部１１２の上に連続して形成されたものであり、前脚体１１の左右の縦フレーム部１１２からそれぞれ延設された左右の背凭れフレーム部１４１と、これら背凭れフレーム部１４１間に設けられ着座者Ｐの背に添設して支える背凭れ本体１４２とを具備してなる。背凭れ本体１４２は、樹脂により形成されたものである。なお、折り畳み椅子Ｃを移動する際、折り畳み椅子Ｃを折り畳み姿勢（Ｔ）に折り畳んだり使用姿勢（Ｕ）に広げたりする際、或いは、折り畳み椅子Ｃを壁面等の立て掛け対象体Ｗに立て掛ける際には、主として背凭れ部１４の一部を把持したり、背凭れ部１４の一部を押したりして行われる。
【００２４】
本実施形態である折り畳み椅子Ｃは、以上のようにしてなる椅子本体１に、床面Ｆとの介在体であるキャップ２を備えている。
【００２５】
キャップ２は、床面Ｆと椅子本体１の間に介在するものであり、後脚体１２の水平フレーム部１２１の外周に外嵌されて取り付けられている。本実施形態では、キャップ２は、水平フレーム１２１の左右２箇所に配されている。
【００２６】
キャップ２は、折り畳み椅子Ｃが折り畳み姿勢（Ｔ）にあるとともに後脚体１２の水平フレーム部１２１が背凭れ部１４よりも下に位置する状態で、背凭れ部１４を壁面や家具等の立て掛け対象体Ｗに添設させて立て掛けた場合にのみ床面Ｆに直接的に接して後脚体１２が床面Ｆに対して不意に移動することを抑制する軟質樹脂製の転倒防止部材２１を備えている。また、キャップ２は、後脚体１２に設けられ折り畳み椅子Ｃが使用姿勢（Ｕ）にあるとともに着座者Ｐの荷重が作用していない場合に、床面Ｆに接して後脚体１２が床面Ｆに対して滑らかに移動するのを助長する硬質樹脂製の滑動促進部材２２を備えている。さらに、キャップ２は、折り畳み椅子Ｃが使用姿勢（Ｕ）にあるとともにこの使用姿勢（Ｕ）にある折り畳み椅子Ｃに着座による荷重が作用した場合に滑動促進部材２２とともに床面Ｆに接し後脚体１２が床面Ｆに対して移動するのを防止する軟質樹脂製の滑動抑制部材２３とを具備してなる。
【００２７】
本実施形態では、転倒防止部材２１と滑動抑制部材２３とが共通の樹脂により一体的に成形されている。さらに、転倒防止部材２１及び滑動抑制部材２３の一体成形体Ｙと滑動促進部材２２とは一体的に二重成形されている。換言すれば、本実施形態のキャップ２は、転倒防止部材２１と滑動抑制部材２３の一体成形体Ｙと当該一体成形体Ｙと異なる樹脂からなる滑動促進部材２２とを一体的に二色成形（ダブルモールド）してなるものである。
【００２８】
転倒防止部材２１は、エラストマー等の軟質樹脂により作られたもので、カーペットやフローリング等の床面Ｆに接した場合に、一定のグリップ力を発揮し得る摩擦抵抗力を有するものである。滑動促進部材２２は、ポリプロピレンやナイロン等の硬質樹脂により作られたもので、カーペットやフローリング等の床面Ｆに接した場合に、前記転倒防止部材２１と比べて弱い摩擦抵抗力を有し、床面Ｆに対して滑りやすいものである。滑動抑制部材２３は、転倒防止部材２１と同様に、エラストマー等の軟質樹脂により作られたもので、カーペットやフローリング等の床面Ｆに接した場合に、一定のグリップ力を発揮し得る摩擦抵抗力を有するものである。
【００２９】
本実施形態のキャップ２は、図２及び図３に示すように、左右方向中間部を中心線とした左右対称形状をなしている。
【００３０】
滑動促進部材２２は、後脚体１２の楕円形状の水平フレーム部１２１を包むように把持するための形状である側面視ないし断面視において水平フレーム部１２１の形状に対応させた略Ｃ字状をなすフレーム取付部２２１と、このフレーム取付部２２１に一端側を支持させるとともに他端側を自由端とし、フレーム取付部２２１に片持ち梁的に支持された床当接部２２２とを具備している。床当接部２２２の下面２２２ａは床面Ｆに直接的に接するようになっており、滑らかな平坦面に形成されている。一方、床当接部２２２の上側における床当接部２２２とフレーム取付部２２１との間には、所定の空間領域である空間部２２３が設けられている。床当接部２２２は、フレーム取付部２２１の左右両側の２箇所に設けられている。
【００３１】
転倒防止部材２１は、フレーム取付部２２１の外側に配され、フレーム取付部２２１の左右幅寸法と略同じ左右幅寸法を有した底面視略長方形状のものであり、床当接部２２２の後側に隣接させて配されている。滑動抑制部材２３は、フレーム取付部２２１の外側に位置し、左右の床当接部２２２の間に配され、且つ、転倒防止部材２１の左右方向中央部の前に配された四角形状のものである。前述の通り、転倒防止部材２１と滑動抑制部材２３は共通の材質を用いた一体成形体Ｙであり、図３に示すように、この一体成形体Ｙは、底面視において略Ｔ字状の形状、換言すれば前方に向かって突出させた凸字状をなしている。
【００３２】
なお、図４及び図５は、使用姿勢（Ｕ）にあり、且つ、着座者Ｐが着座していない状態の折り畳み椅子Ｃにおけるキャップ２及び後脚体１２の水平フレーム部１２１の部分拡大断面図である。同図に示されるように、着座者Ｐの荷重が作用していない状態においては、滑動促進部材２２の床当接部２２２の下面２２２ａは、転倒防止部材２１及び滑動抑制部材２３の下面２１ａ、２３ａよりも下に位置するように設定されている。
【００３３】
続いて、本実施形態の折り畳み椅子Ｃの作用について説明する。
【００３４】
折り畳み椅子Ｃを、折り畳み姿勢（Ｔ）にした状態で、壁面や他の家具等の立て掛け対象体Ｗに対して立て掛けた場合、すなわち、折り畳み椅子Ｃにおける背凭れ部１４の背面側の適宜の部位を立て掛け対象体Ｗに当接させるようにして立て掛けた場合、折り畳み椅子Ｃは、図７に示すように床面Ｆに対して直角ではなく、斜めに傾いた姿勢に維持される。この際、キャップ２の転倒防止部材２１の下面２１ａが、図８に示すように、床面Ｆに直接当接することになる。そして、転倒防止部材２１は、床面Ｆに対して一定のグリップ力を発揮して床面Ｆに対して滑るのを抑制することになる。なお、本実施形態においては、後脚体１２の縦フレーム部１２２が床面に対して約８０°に傾いた姿勢となっている（すなわち図７における傾斜角度α＝約８０°である）。換言すれば、この折り畳み椅子Ｃは、立て掛け対象体Ｗに背凭れ部１４を当接させることにより立て掛けた場合、つまり、折り畳み姿勢（Ｔ）で床面Ｆに対して所定の傾斜角度αで傾いた状態にある場合には、転倒防止部材２１の下面２１ａが床面Ｆに直接当接するようになっている。所定の傾斜角度αは、転倒防止部材２１の配置により適宜設定することが可能である。
【００３５】
一方、折り畳み椅子Ｃを、図９に示すように使用姿勢（Ｕ）にした状態で、且つ、着座者Ｐが着座していない状態、すなわち折り畳み椅子Ｃが着座者Ｐの荷重が作用していない使用姿勢（Ｕ）にある場合には、図１０に拡大して示すように、キャップ２の滑動促進部材２２が床面Ｆに直接的に接することになる。より具体的に言えば、滑動促進部材２２の床当接部２２２の下面が床面Ｆに直接的に接した状態になる。その結果、床当接部２２２が床面Ｆに対して滑りやすくなっているので、使用者等が折り畳み椅子Ｃを前後左右方向に移動させるべく床面Ｆを擦るように動かした場合であっても、後脚体１２が床面Ｆに対して滑らかに滑動することになる。
【００３６】
更に、折り畳み椅子Ｃを、図１１に示すように使用姿勢（Ｕ）にした状態で、且つ、着座者Ｐが着座している状態、すなわち折り畳み椅子Ｃに対して着座者Ｐの着座による荷重が作用した場合には、次のようになる。すなわち、図１２に示すように、一定の荷重を受けた床当接部２２２が上方に付勢され、床当接部２２２の基端部分２２２ｂが弾性変形して、床当接部２２２が当該床当接部２２２の上側領域に形成された空間部２２３に移動する。そして、床当接部２２２が上方に移動されることに伴い、床面Ｆには床当接部２２２の下面２２２ａとともに左右の床当接部２２２間に配された滑動抑制部材２３の下面２３ａが接することになる。このため、着座者Ｐが着座している状態においては、滑動抑制部材２３の床面Ｆに対するグリップ力が作用し、着座時に折り畳み椅子Ｃが床面Ｆに対して安易に滑ってしまうのを好適に抑制するものとなる。
【００３７】
このように、本実施形態に係る折り畳み椅子Ｃは、後脚体１２に設けられ折り畳み姿勢（Ｔ）で立て掛けた場合にのみ床面Ｆに接して後脚体１２が床面Ｆに対して滑動するのを抑制する転倒防止部材２１と、後脚体１２に設けられ使用姿勢（Ｕ）で着座者Ｐの荷重が作用していない場合に床面Ｆに接して後脚体１２が床面Ｆに対して滑動するのを助長する滑動促進部材２２とを具備している。このため、折り畳み姿勢（Ｔ）にして壁面や他の家具等に立てかけた状態では床面Ｆに対して後脚体１２が滑り難くできるとともに、着座者Ｐが着座していない使用状態（Ｕ）では床面Ｆに対して滑りやすくでき、多様な状況に対応した適切な接地力を発揮することができる折り畳み椅子Ｃを提供することができるものとなる。
【００３８】
また、転倒防止部材２１が軟質樹脂製のものであり、滑動促進部材２２が硬質樹脂製のものであるため、樹脂の性質を異ならせることによって床面Ｆに対する摩擦力の大小を設定させることができるとともに比較的簡易な構成によって所期の目的を達成することができる。
【００３９】
後脚体１２が、水平フレーム部１２１と縦フレーム部１２２とを備え、水平フレーム部１２１に装着したキャップ２に転倒防止部材２１と滑動促進部材２２とが設けられているので、大がかりな構成を取る必要が無いものとなる。
【００４０】
キャップ２が、軟質樹脂製の転倒防止部材２１と硬質樹脂製の滑動促進部材２２とを一体に二重成形したものであるため、折り畳み椅子Ｃに相応させた簡易化・コンパクト化に向けた設計の自由度を高めることができるものとなる。
【００４１】
後脚体１２の水平フレーム部１２１が横断面略楕円形状をなすものであり、キャップ２が水平フレーム部１２１の外周に外嵌されたものであるため、位置決めを容易に行うことができるものとなっている。
【００４２】
更に、本実施形態では、使用姿勢（Ｕ）において着座による荷重が作用した場合に滑動促進部材２２とともに床面Ｆに接し後脚体１２が床面Ｆに対して滑動するのを防止する滑動抑制部材２３を具備しているため、着座時の折り畳み椅子Ｃが床面Ｆに対して滑るのを好適に抑制するものとなる。
【００４３】
なお、本発明は、以上に詳述した実施形態に限られるものではない。
【００４４】
折り畳み椅子は、必ずしも背凭れ部を備えている必要は無い。すなわち、折り畳み椅子は、座と前後の脚部により構成されているものであればよく、折り畳み姿勢において、座の後端部などを立て掛け対象体に添設させて立て掛けるようにしてもよい。
【００４５】
転倒防止部材、滑動促進部材、及び、滑動抑制部材は、樹脂以外のものを用いるようにしても良く、例えば、木材、金属、紙、布などを適宜利用して床面との摩擦力を設定するようにしても良い。
【００４６】
転倒防止部材や滑動抑制部材は、滑動促進部材と同一の樹脂を採用してもよい。例えば、転倒防止部材や滑動抑制部材の外面に、床面との摩擦力を高めるための溝を形成し、これら転倒防止部材や滑動抑制部材の外面に床面に対するグリップ力を付与するようにしても良い。
【００４７】
転倒防止部材、滑動促進部材、及び、滑動抑制部材は、本実施形態に示すようなキャップに設けたものには限られず、例えば、後脚体の水平フレームに適宜の方法で設けるようにしたものでもよい。
【００４８】
前脚体や後脚体の断面形状は、楕円形状のものに限定されるものではなく、種々の形状のものを採用することができる。本実施形態に示されるような楕円形状のものであれば単純な円形状のものと比べて、容易に位置決めをすることができる。
【００４９】
転倒防止部材、滑動促進部材、及び、滑動抑制部材の配置及び構成については、種々の態様があり、本実施形態に示されるものには限定されない。例えば、上述した実施形態では、転倒防止部材と滑動抑制部材とが共通の樹脂により一体に形成されているものを示しているが、転倒防止部材と滑動抑制部材とが別体をなしていても良い。
【００５０】
また、キャップに設けられた転倒防止部材と滑動抑制部材とは、必ずしも明確に異なる位置に配されるものには限られない。つまり、部分的に転倒防止部材としての機能と滑動抑制部材としての機能とを兼ねた部分が存在していても良い。
【００５１】
上述した実施形態では、滑動抑制部材が、使用姿勢において着座による荷重が作用した場合に滑動促進部材とともに床面に接するように構成していたが、このようなものには限定されず、使用姿勢において着座による荷重が作用した場合に滑動促進部材に代わって床面に接するものであってもよい。
【００５２】
その他、各部の具体的構成についても上記実施形態に限られるものではなく、本発明の趣旨を逸脱しない範囲で種々変形が可能である。
【符号の説明】
【００５３】
１…椅子本体
１１…前脚体
１２…後脚体
１３…座
２…キャップ（介在体）
２１…転倒防止部材
２２…滑動促進部材
２３…滑動抑制部材
Ｆ…床面
Ｔ…折り畳み姿勢
Ｕ…使用姿勢
Ｐ…着座者
Ｗ…立て掛け対象体
【図１】
2013169313.tif 000003
【図２】
2013169313.tif 000004
【図３】
2013169313.tif 000005
【図４】
2013169313.tif 000006
【図５】
2013169313.tif 000007
【図６】
2013169313.tif 000008
【図７】
2013169313.tif 000009
【図８】
2013169313.tif 000010
【図９】
2013169313.tif 000011
【図１０】
2013169313.tif 000012
【図１１】
2013169313.tif 000013
【図１２】
2013169313.tif 000014